(57)【要約】      （修正有）【課題】特に高振動環境において、相手プラグを組み付けるコネクタを振動から保護し、コネクタのコンタクト部材を早期摩耗から保護する手段の提供【解決手段】支持体にソケット型ハウジング２を取り付けるための取り付け部を有し、ハウジング内に少なくとも１つのケーブル８に取り付けられる規格化されたコネクタ４を取り付けるためのレセプタクルを備える前記ハウジングとケーブル支持体５及びコネクタを備えるコネクタ装置１とに関する。遊びを有さずにケーブル８を保持するために少なくとも１つの保持孔１４を備える別体のケーブル支持体であって、ケーブル支持体は、好ましくは前記ケーブル支持体側と前記ハウジング側の嵌合部材２０，２１を介して、レセプタクル３によって支持される。これにより、ハウジングに対してケーブルが固定される。ケーブルを介してコネクタに振動が伝達されることがない。ケーブル支持体は、コネクタと一体化することもできる。【選択図】図３
2015111555.tif 000002
【特許請求の範囲】
【請求項１】
支持体（６）に対してソケット型のハウジング（２）を取り付けるための取り付け部（７）と、少なくとも１本のケーブル（８）に取り付けられる、少なくとも１つの規格化されたコネクタ（４）を前記ハウジング内に取り付けるためのレセプタクル（３）とを備える前記ハウジングであって、
遊びを有さずに前記ケーブルを保持するために少なくとも１つの保持孔（１４）を有する別体のケーブル支持体（５）が設けられ、
前記ケーブル支持体（５）が、前記レセプタクル（３）内に前記ハウジング（２）によって直接的に支持されることを特徴とするハウジング（２）。
【請求項２】
前記ケーブル支持体（５）と前記レセプタクル（３）が、互いに補完し合う嵌合部材（２０，２１）を有することを特徴とする請求項１に記載のハウジング（２）。
【請求項３】
前記嵌合部材（２０，２１）が線形案内部を形成し、前記線形案内部に沿って、前記ケーブル支持体（５）が、前記レセプタクル（３）のケーブル側端部（１０）から前記レセプタクル（３）の他端の方向に移動可能であることを特徴とする請求項２に記載のハウジング（２）。
【請求項４】
別体のケーブル支持体（５）上に遊びを有さずに少なくとも１本のケーブル（８）を保持するために少なくとも１つの保持孔（１４）を有する前記ケーブル支持体（５）を有する、前記ケーブル（８）に取り付け可能に構成されたコネクタ（４）であって、
前記ケーブル支持体（５）が、前記コネクタ（４）内に延出し、前記コネクタ（４）の外側からアクセス可能な少なくとも１つの支持部材（２０）を有することを特徴とするコネクタ（４）。
【請求項５】
前記支持部材（２０）が、前記コネクタ（４）の外側に突出することを特徴とする請求項４に記載のコネクタ（４）。
【請求項６】
前記ケーブル支持体（５）が、前記コネクタ（４）内で前記ケーブル（８）に取り付けられた少なくとも１つのコンタクト部材（２７）を固定することを特徴とする請求項４又は５に記載のコネクタ（４）。
【請求項７】
少なくとも１本のケーブル（８）に取り付けられた、少なくとも１つの規格化されたコネクタ（４）が取付けられるレセプタクル（３）を含むハウジング（２）と、支持体（６）に対して前記ハウジング（２）を取り付けるための取り付け部（７）とを有するコネクタ装置（１）であって、
前記レセプタクル（３）内のケーブル支持体（５）が前記ハウジング（２）によって直接的に支持され、
前記ケーブル支持体（５）が、前記ケーブル（８）が遊びを有さずに保持される少なくとも一つの保持孔（１４）を有することを特徴とするコネクタ装置（１）。
【請求項８】
前記ケーブル支持体（５）が、嵌合するように、前記レセプタクル（３）内に直接的に保持されることを特徴とする請求項７に記載のコネクタ装置。
【請求項９】
前記ケーブル支持体（５）が、前記コネクタ（４）と前記ハウジング（２）のケーブル端部（１０）との間に配置されることを特徴とする請求項７又は８に記載のコネクタ装置（１）。
【請求項１０】
前記ケーブル支持体（５）が、前記コネクタ（４）と共に、予め組み立てられた単一部品（２３）として前記ハウジング（２）に挿入されることができることを特徴とする請求項７乃至９のいずれか一項に記載のコネクタ装置（１）。
【請求項１１】
前記少なくとも１つの保持孔（１４）が、前記コネクタ（４）内にあることを特徴とする請求項７乃至１０のいずれか一項に記載のコネクタ装置（１）。
【請求項１２】
前記ケーブル支持体（５）の嵌合部材（２０）が、前記コネクタ（４）から突出し、前記ハウジング（２）の相補的な嵌合部材（２２）と係合することを特徴とする請求項７乃至１１のいずれか一項に記載のコネクタ装置（１）。
【請求項１３】
前記ケーブル支持体（５）と前記ハウジング（２）の前記嵌合部材（２０，２１）が、線形案内部を形成し、前記線形案内部に沿って、前記ケーブル支持体（５）が、前記レセプタクル（３）内に移動できるように案内されることを特徴とする請求項７乃至１２のいずれか一項に記載のコネクタ装置（１）。
【請求項１４】
前記ケーブル支持体（５）が、前記ハウジング（２）の前記ケーブル端部（１０）を閉塞することを特徴とする請求項７乃至１３のいずれか一項に記載のコネクタ装置。
【請求項１５】
前記ケーブル支持体（５）が、前記ケーブル支持体（５）の最終位置（３１）においてのみ前記レセプタクル（３）内に受容されることができる前記コネクタ（４）のＣＰＡを形成することを特徴とする請求項７乃至１４のいずれか一項に記載のコネクタ装置（１）。
【発明の詳細な説明】
【技術分野】
【０００１】
本発明は、ソケット型ハウジングを支持体に取り付けるための取り付け部を有し、前記ハウジング内に、少なくとも１つのケーブルに取り付けられ、少なくとも１つの完全に装着した、規格化されたコネクタを取り付けるためのレセプタクルを備える前記ハウジングに関する。
【０００２】
更に、本発明は、少なくとも１つのケーブルに取り付けられる、少なくとも１つの規格化されたコネクタが取り付けられるレセプタクルを含むハウジングと、前記ハウジングを支持体に取り付けるための取り付け部とを有するコネクタ装置に関する。
【背景技術】
【０００３】
この種類のハウジング及びコネクタ装置は公知であり、例えば、自動車の構造において制御盤のコンソールや車体部品に取り付けられる。ハウジング及びコネクタ装置の内部には、例えば、工業規格や社内規格に従って構成された、電力伝達やデータ転送用の規格化されたプラグが受容される。このプラグは、支持体に取り付けられたハウジングによって所定の位置に保持される。ハウジング及びコネクタは、通常はハウジングと対向する側に、このプラグと相補的な構造を有する相手プラグを組み付けることによって、ソケットとして用いられる。ハウジングを使用することにより、ケーブルの両端の間に、又は固定的に設置されたソケットに対してプラグ接続が行われるか否かに拘らず、同一の種類のプラグを使用することができる。
【０００４】
多くの用途において、ハウジング、プラグ及びケーブルが動作中に受ける振動が問題となっている。これらの振動により、プラグと相手プラグとの間に相対的な移動が生じ、摩擦酸化や擦過による経時的な電気コンタクトの摩耗が生じる。
【発明の概要】
【発明が解決しようとする課題】
【０００５】
本発明は、電気的なプラグ接続においてコンタクトが受ける摩耗を減少する手段を講じようとするものである。
【課題を解決するための手段】
【０００６】
この問題は、遊びを有しないようにケーブルを保持する少なくとも１つの保持孔を有する別体のケーブル支持体が設けられ、このケーブル支持体がレセプタクル内においてハウジングによって直接的に支持される上述のハウジングによって解決される。
【０００７】
上述のコネクタ構成に関し、この問題は、本発明によれば、レセプタクル内のケーブル支持体をハウジングによって直接的に支持することによって、且つ、遊びを有さずにケーブルが保持される少なくとも１つの保持孔を備える別体のケーブル支持体を設けることによって解決される。
【０００８】
この簡易な手段は、ケーブルを介してコネクタに伝達される振動を減少することができる。ケーブル支持体がハウジングにケーブルを固定し、振動が吸収される。
【０００９】
例えば、ＤＥ１０２００９０３２３９３Ａ１（ドイツ国特許出願公開第１０２００９０３２３９３号明細書）、ＥＰ２２２８８７０Ｂ１（欧州特許第２２２８８７０号明細書）、及びＤＥ１０２０１２１０２２１２Ａ１（ドイツ国特許出願公開第１０２０１２１０２２１２号明細書）に示されているような、ケーブル支持体をコネクタ内又はコネクタ上に取り付けるという従来の手段と比較して、別体のケーブル支持体を使用し、それをハウジング上で直接的に支持することは、コネクタが短いままで、同一のコネクタが様々な用途に使用されることができるという利点を有する。更に、本装置に係るハウジング及びコネクタ装置は、既存のコネクタと共に、変更を必要とせずに、使用されることができる。
【００１０】
コネクタは、２．５乃至３５ｍｍ２の断面を有する電力コンタクトを備える小極数コネクタであることが好ましい。
【００１１】
変更したコネクタが使用されるのであれば、本発明によって解決される問題は、ケーブル支持体上に遊びを有さずにケーブルを保持するために少なくとも１つの保持孔を有する別体のケーブル支持体を備える、少なくとも１つのケーブルに取り付けられることができるように構成されたコネクタによっても解決される。ケーブル支持体は、コネクタ内に延出し、コネクタの外側からアクセス可能な少なくとも１つの支持部材を有する。
【００１２】
コネクタの外側からアクセス可能な支持部材は、ハウジング内に直接的にケーブル支持体を固定するために使用することができる。更に、この構成では、ケーブル支持体が、ハウジングに対して間接的にコネクタを固定する。
【００１３】
ハウジング、コネクタ、及びコネクタ装置は、ハウジングに対する相対的なケーブルの移動を減少するために、ハウジングに対して直接的にケーブル支持体を固定するという共通の考えに基づいている。
【００１４】
本発明の課題解決方法は、以下に示す更なる発展形態によって更に改良され、これら発展形態の各々は、単独且つそれ自体で有利なものであり、必要に応じて、互いに組み合わせることができる。
【００１５】
このように、第１の有利な構成によれば、ハウジングとケーブル支持体は、互いに補完し合う嵌合部材を備えることができる。このように、ケーブル支持体は、嵌合するように、レセプタクル内に保持することができる。ケーブル支持体とハウジングすなわちレセプタクルとの間の嵌合により、かなりの振動があっても確実に吸収することができる、より堅固且つ弾性的な接続が保証される。外部からアクセス可能であり、特に側面上に配置されたコネクタに取り付けられたケーブル支持体の支持部材は、かかる嵌合部材でもよい。ケーブル支持体のこの嵌合部材は、他の構成によれば、コネクタから突出してもよい。嵌合部材は、線形案内部を形成し、線形案内部に沿って、ケーブル支持体が、レセプタクルのケーブル側端部から、レセプタクルの他端の方向に移動することができる。これにより、ケーブル側開口からレセプタクル内へのケーブル支持体の簡単な挿入が可能になる。嵌合部材は、例えば、レセプタクルに沿って互いに反対方向に移動させることができる実矧ぎ装置として構成してもよい。相補的な嵌合部材は、摩擦接続によって嵌合を増強させるように、圧入部を形成してもよい。
【００１６】
最後に、嵌合部材は、少なくとも１つの停止部を有し、ケーブル支持体が、最終位置において、ハウジングによって所定の位置にロックされるようにしてもよい。
【００１７】
他の構成によれば、嵌合部材は、ハウジングすなわちコネクタの一方の短い側部の側面に配置されてもよい。
【００１８】
ケーブル支持体は、装着時に、ハウジングの一端上にあることが好ましい。この端部では、ケーブル支持体がレセプタクルをロックすることができる。また、レセプタクル内のこの端部には、少なくとも１つの嵌合部材を配置してもよい。他の実施形態では、ケーブル支持体を備えるハウジングの端部は、ハウジングを支持体に取り付ける取り付け部を備える端部の反対側や、コネクタがハウジングによって支持される端部の反対側とすることができる。後者の場合、ケーブル支持体によって、コネクタだけでなくケーブルも安定化する。
【００１９】
保持孔の開口幅は、ケーブルの所定の外径、一般的には規格化された外径に由来することが好ましい。ケーブルの絶縁体が多少圧潰されて、ケーブルはケーブル支持体とケーブル絶縁体の間の静止摩擦によって固定されるので、保持孔の開口幅はケーブルの外径よりも多少小さく、ケーブルが保持孔内で固く滑らないように圧入されることが好ましい。ケーブルは、ケーブル支持体内に固く締め付けられる。締付効果は、専らケーブルの絶縁体層の弾性に由来する必要があるわけではない。ケーブル支持体自体が、例えば、弾性的に圧縮可能な材料から作製されてもよい。
【００２０】
ケーブル支持体の保持孔は、装着されたケーブルの側面に沿って滑動するように、一側面を開口させてもよいし、又はケーブルに沿って滑動するように全ての側面が閉鎖されてもよい。一側面に開口した保持孔を閉じるために、ロック閉鎖部が設けられてもよい。
【００２１】
嵌合部材は、保持孔を画定する複数の歯の端部上に配置されてもよい。嵌合部材が互いに係合すると、複数の歯が、ケーブルをより固く締め付けるために、互いに向かって撓むと有利である。
【００２２】
ケーブル支持体は、装着時、特にケーブルの長手方向に、コネクタのケーブル側端部とハウジングのプラグ側端部との間に配置されてもよい。この構成では、ハウジングは、コネクタを越えて延出し、ケーブル支持体を支持して保護するように機能する。ケーブル支持体の領域では、ハウジングは全側面が閉じられる必要はないので、この位置では、レセプタクルは一側面に向かって開口している、すなわち、ケーブルの長手延在方向に直交していてもよい。これにより、材料を節約したり、空き空間をロックや他の機能のために使用したりすることができるようになる。
【００２３】
コネクタとケーブル支持体をよりぴったりと嵌合するために、ケーブル支持体は、コネクタの凹みと係合する突起や凹みを有してもよい。突起はケーブルの長手延在方向に延在すると有利である。例えば、ケーブル支持体は、ケーブルとコネクタとの間に突出するシュラウド又は１つ以上のその他の部材を有してもよい。
【００２４】
ケーブル支持体は、コネクタと接続される、又は接続することができる、予め装着された単一部品又は予め装着可能な単一部品とし、単一部品としてハウジングに挿入したりハウジングから抜き取ったりすることができてもよい。ケーブル支持体とコネクタのかかる構造的結合は、ケーブル支持体が１つ以上のカチッと嵌合する接続部によってコネクタに取り付けられることができる場合に得ることができる。特に、保持孔は、好ましくはケーブル支持体全体が、コネクタ内にある。
【００２５】
ケーブル支持体が、装着時、コネクタ内にある場合、ケーブル支持体は、ケーブルを外部に露出させるコネクタの開口を閉塞してもよい。
【００２６】
ケーブル支持体とレセプタクルを直接的に嵌合するために、ケーブル支持体の嵌合部材は、コネクタから突出し、ハウジングの相補的な嵌合部材と係合してもよい。
【００２７】
ケーブル支持体がコネクタ装置に取り付けられる場合、ケーブル支持体はコネクタによって更に支持され、ケーブル支持体がコネクタを更に固定し、コネクタを振動から保護するようにしてもよい。
【００２８】
特に、コネクタと接続されて単一部品を形成することができるケーブル支持体が存在することができる他の有利な構成では、ケーブル支持体は、コンタクトヒューズとして機能してもよい。組立時、この構成では、ケーブルと接続された少なくとも１つの電気的コンタクト部材は、ケーブル支持体によってプラグ接続部のコンタクト室内に固定される。
【００２９】
誤組立を防止するために、他の構成では、ケーブル支持体は、コンタクト部材が適切に装着された時にのみ最終位置に移動させることができる。これは、例えば、コンタクトがまだ最終位置にないときは、コンタクトホルダの軌道上にケーブル支持体の最終位置より前に障害物を配置することによって得られ、この障害物は、コンタクト部材が最終位置にある時に、軌道上から移動される。
【００３０】
ケーブル支持体は、最終位置でのみレセプタクルによって受容されることができるコネクタのＣＰＡ（コネクタ位置保証）を形成してもよい。
【００３１】
ケーブル支持体は、単一体から構成されることが好ましいが、数個の固く連結された個体から構成されてもよい。
【００３２】
本発明を、様々な実施形態に基づき且つ図面を参照して、一例として以下で説明する。上記の実施形態によれば、様々な実施形態の際立った特徴は、任意の所望の方法で、取り換え及び組み合わせを行うことができる。
【図面の簡単な説明】
【００３３】
【図１】ハウジング、ケーブル支持体、及びコネクタを備える、本発明に係るコネクタ装置の第１の実施形態の概略的な斜視図を示す。
【図２】コネクタ及びケーブル支持体をハウジングに挿入する前のコネクタ装置の他の実施形態の概略的な斜視図を示す。
【図３】ハウジング内に取り付けられる前の、コネクタ及びケーブル支持体を備えるコネクタ装置の別の実施形態の概略的な斜視図を示す。
【図４】ケーブル支持体を備えるコネクタの他の実施形態の概略図を示す。
【図５】ハウジングを備える図４のコネクタ及びケーブル支持体の概略的な斜視図を示す。
【図６】予め組み立てる前のケーブル支持体、ケーブル、及びコンタクト部材を備えるコネクタの他の実施形態の概略的な斜視図を示す。
【図７】図６の予め装着されたコネクタの概略的な斜視図を示す。
【図８】ハウジングに挿入された図６のコネクタの断面の概略的な斜視図を示す。
【発明を実施するための形態】
【００３４】
まず、本発明に係るコネクタ装置１の構造を、図１に基づいて説明する。コネクタ装置１は、レセプタクル３を備えるハウジング２を有し、レセプタクル３には、コネクタ４及びケーブル支持体５が受容される。
【００３５】
ハウジング２は、ソケット型であり、支持体６（概略的に示されているのみ）、例えば、コンソールや車体部品に固定される。支持体６への取り付けは、例えば、ハウジングの一端に配置されることができるフランジ形状の取り付け部７によって行われる。このように、コネクタ装置１は、コネクタ３を補完する相手プラグ（図示せず）を挿入可能なソケットを形成する。コネクタ３は、規格化されており、工業規格又は社内規格に従って構成されている。コネクタ３は、少なくとも１本のケーブル８に取り付けられ、図１には図示されない少なくとも１つのコンタクト部材を有し、このコンタクト部材は、ケーブル８のリード９に導電接続される。図１は、単に一例として、２本のケーブルを示している。
【００３６】
ケーブル支持体５は、レセプタクル３内のハウジング２のケーブル側端部１０上に配置される。この端部では、レセプタクル３は、ハウジング２のケーブル側端部１０だけでなく、ケーブル側端部１０に対して直交するように、一側面も開口させることができる。その反対側のプラグ側端部１１では、レセプタクルは、側方を囲むように閉じられており、コネクタ４を囲繞するようにしてもよい。
【００３７】
ケーブル側端部１０のみ開口したレセプタクル３は、例えば、レセプタクル３を包囲する側壁１２の一部、本例では３つの側壁を、シュラウドを成すように延長することによって形成される。
【００３８】
コネクタ４は、組み立てが完了した状態においてはハウジング２に挿入されており、例えば装置１３によって所定の位置でロックされる。
【００３９】
ケーブル支持体５には、少なくとも１本のケーブル９が、保持孔１４内で遊びを有しないように保持され、特に締め付けられる。レセプタクル３は、ケーブル支持体５によってケーブル端部１０が閉塞される。
【００４０】
図１に示す実施形態では、支持体は、ケーブル８の長手方向１５に沿って見た場合、ハウジング２のケーブル端部１０とコネクタ３との間に配置されている。
【００４１】
ケーブル支持部５は、ハウジング２によって直接的に支持されるので、ケーブル９とハウジング２との相対的な移動を防止する。このように、ケーブル支持体５は、少なくとも１本のケーブル９を介してコネクタ４に伝達され、相手プラグ（図示せず）を介してコネクタ４における相対的な移動を引き起こす可能性のある振動を吸収する。かかる相対的な移動は、結果的に、コネクタ４及び相手プラグのコンタクトの摩耗を増加する可能性がある。コネクタ４は、ケーブル支持体５とハウジング２との間には存在しないので、振動を受けないようにすることができる。
【００４２】
その他の例示的実施形態の以下の記述においては、分かり易いように、構造や機能に関して等しい部材には、図１の例示的実施形態における参照番号と同一の参照番号を付している。簡略化のために、以下の説明は、特に断らない限り、例示的な実施形態同士間の各相違点に限定する。
【００４３】
図２はケーブル支持体５を示し、ケーブル支持体５の少なくとも１つの保持孔１４は、側面に開口しているので、側方に、すなわち矢印１５で指示するように、少なくとも１本のケーブル８に向かって、ケーブルの長手方向１５と直交する方向に可動になっている。
【００４４】
ケーブル支持体５は、ケーブル端部１０や、レセプタクル３の側面開口１６から、ハウジング２内に挿入されることができる。
【００４５】
保持孔１４の開口幅１７は、少なくともケーブル支持体５がレセプタクル３内にある時は、ケーブル８の外径１８よりも小さい。保持孔１４を小さくすることにより、一般的には多少弾力のあるケーブルの外側の絶縁層１９が圧縮されるので、ケーブル８が保持孔１４内でしっかりと締め付けられる。ケーブル支持体５をレセプタクル３よりも大きくし、ケーブル支持体５と保持孔１４が、挿入時に互いに弾性的に押圧されるようにしてもよい。或いは、ケーブル支持体５自体を、遊びを有さずにレセプタクル３内にぴったりと配置したり、少なくともコネクタ４よりは少ない遊びで配置したりしてもよく、保持孔１４は、ケーブル８によって弾性的に拡張され、結果的にケーブル８をしっかりと締め付けるようにしてもよい。
【００４６】
図３の実施形態では、保持孔１４は、全側面を塞がれており、従って、ケーブル８を完全に囲繞している。この構成では、ケーブル８にケーブル支持体５を装着するためには、ケーブル８の一端を孔１４に挿通させなければならない。コネクタ４と共に、ケーブル支持体５は、ハウジング２のレセプタクル３に挿入されることができる。或いは、プラグ４を、まずハウジング２に挿入し、次にケーブル支持体５を、少なくとも１本のケーブル８に沿ってレセプタクル３内へ移動させることもできる。
【００４７】
図３は、ケーブル支持体５が、嵌合部材２０を有する様子を示している。ハウジング２は、嵌合部材２０を補完する嵌合部材２１を有する。嵌合部材２０，２１は、線形案内部を形成するように互いに作用し、この線形案内部に沿って、ケーブル支持体５は、レセプタクル３内に移動できるように、ケーブル８の長手方向１５に案内される。嵌合部材２０，２１は、ケーブル支持体５が、ハウジング２内にほとんど遊びを有さずに、好ましくは全く遊びを有さずに、嵌合することができるように構成されている。特に、嵌合部材２０，２１は圧入されてもよい。
【００４８】
単純な構成では、嵌合部材２０，２１は、ケーブル支持体が、ハウジング２へのプラグ４の挿入方向２２に沿って又はケーブル８の長手延在方向に移動することを可能にし、他の方向への移動を防止する、実矧ぎ装置として構成される。
【００４９】
嵌合部材２０，２１は、係止手段（図示せず）を含み、係止手段によって、ケーブル支持部５をレセプタクル３内の所定の位置にロックするようにしてもよい。
【００５０】
嵌合部材２０は、ケーブル支持体５の端部で孔１４を画定する歯１４’に配置されるのが好ましい。嵌合部材２０，２１が互いに係合する場合、歯１４'同士が互いに向かって撓み、開口幅１７を減少するようにすると有利である。
【００５１】
図４及び図５には、他の実施形態が概略的に示されている。この構成では、ケーブル支持体５は、コネクタ４上に予め装着されることで、ケーブル支持体５とコネクタ４が単一部品２３を形成している。ケーブル支持体５は、特に、コネクタ４内に配置され、コネクタ４のケーブル側開口２４を閉塞してもよい。また、この構成のケーブル支持体５は、レセプタクル３内に支持されたり、ハウジング２の嵌合部材２１と直接的に係合可能であったりする少なくとも１つの支持体すなわち嵌合部材２０を有してもよい。
【００５２】
これは、コネクタ４及び装着されたケーブル支持体５によって構成される単一部品２３において、支持体すなわち嵌合部材２０が、外側からアクセス可能であり、特にコネクタ４から突出していることにより達成される。
【００５３】
コネクタ４は、少なくとも１つの更なる嵌合部材２５を有することができ、嵌合部材２５は、ケーブル支持体５の嵌合部材２０又はその他の嵌合部材２６と相互に作用して、ケーブル支持体５をコネクタ４上に固定する。嵌合部材２０，２５や２６は、ケーブル支持体５用の線形案内部を形成し、この線形案内部に沿って、ケーブル支持体５は、コネクタ４内に移動できるように、少なくとも１本のケーブル８の長手方向５に少なくとも部分的に案内される。嵌合部材２０，２５や２６は、更に、ケーブル支持部５を、コネクタ４内の所定の位置でロックすることができるようにしてもよい。
【００５４】
図４及び図５の例示的実施形態では、ケーブル支持体５はコネクタ４上にあるが、少なくとも１つのケーブル８が、ケーブル支持体５を介してハウジング２に直接的に固定される。同時に、ケーブル支持体５は、少なくとも１本のケーブル８とハウジング２の両方に対して、ハウジングのケーブル端部１０にコネクタ４を固定する。この結果、ハウジング２とコネクタ４との間に特に固い接続が生じる。
【００５５】
図６乃至図８の例示的実施形態では、ケーブル支持体５とコネクタ４を、単一部品２３に組み立てることもできる。しかしながら、ケーブル支持体５は、同時に、コンタクトヒューズとしても機能し、このコンタクトヒューズによって、コンタクト部材２７は、コネクタ４のコンタクト室２８内に固定される。
【００５６】
ケーブル支持体５は、２つのロック位置で、コネクタ４によって所定の位置にロックすることができる。図６に示す組立位置２９では、コンタクト室２８は、ケーブル支持体５によって、コンタクト部材２７の完全な挿入のために解放されている。
【００５７】
第２のロック位置すなわち図７に示す作動位置では、コンタクト部材２７は、ケーブル支持体５によって最終位置に直接的又は間接的に固定される。ケーブル支持体５は、コンタクト部材２７が図８に示す最終位置３１にある時にのみ、装着位置２９から作動位置３０に移動することができる。最終位置３１に到達する前は、組立位置２９から作動位置３０へのケーブル支持体５の軌道は、コンタクト部材２７によって直接的又は間接的に遮断されている。このように、ケーブル支持体５はＣＰＡとして機能してもよい。図４及び図５の例示的実施形態と同様に、図６乃至図８の実施形態の単一部品２３は、外側からアクセス可能な嵌合部材２０、特に、ケーブル支持体５をレセプタクル３内に支持する、突起状の嵌合部材２０も有している。
【００５８】
上記の例示的実施形態では、コネクタ４は、常に、レセプタクルに沿って、ハウジングのケーブル端部からハウジングのプラグ端部へ挿入される。しかし、コネクタは、ハウジング２の側面から挿入されることもできる。この場合は、ハウジング２は、一側面と、プラグ端部１１及びケーブル端部１０の両方が開口している。
【符号の説明】
【００５９】
１  コネクタ装置
２  ハウジング
３  レセプタクル
４  コネクタ
５  ケーブル支持体
６  支持体
７  取り付け部
８  ケーブル
９  リード
１０  ケーブル端部
１１  プラグ端部
１２  側壁
１３  コネクタ用ロック部
１４  ケーブル支持体の保持孔
１４'  保持孔の歯
１５  ケーブルの長手方向
１６  レセプタクルの側面開口
１７  保持孔の開口幅
１８  ケーブルの外径
１９  ケーブル絶縁体
２０  ケーブル支持体の嵌合部材
２１  ハウジングの嵌合部材
２２  ハウジング内へのプラグの差し込み方向
２３  コネクタ及びケーブル支持体を含む単一部品
２４  コネクタのケーブル側開口
２５  コネクタの嵌合部材
２６  ケーブル支持体の更なる嵌合部材
２７  コンタクト部材
２８  コンタクト室
２９  ケーブル支持体の組立位置
３０  ケーブル支持体の作動位置
３１  コンタクト部材の最終位置
【図１】
2015111555.tif 000003
【図２】
2015111555.tif 000004
【図３】
2015111555.tif 000005
【図４】
2015111555.tif 000006
【図５】
2015111555.tif 000007
【図６】
2015111555.tif 000008
【図７】
2015111555.tif 000009
【図８】
2015111555.tif 000010
【外国語明細書】
2015111555000001.pdf
2015111555000002.pdf
2015111555000003.pdf
2015111555000004.pdf